(57)【特許請求の範囲】
【請求項１】
複数の電子機器ユニットを筐体内に着脱するための電子機器ユニット着脱機構であって、
前記各電子機器ユニットに備えられたホルダーと、
前記各ホルダーにおいて、弾性部材により第２の位置に付勢されつつ第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に弾性変形可能に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に取り外し方向の移動を規制する規制部材と、
前記ホルダーに操作可能に設けられており、押圧操作されることにより前記第１の係合部を弾性変形させ、前記第１の係合部と前記第２の係合部との係合を解除する操作ボタンと、
前記筐体に設けられ、前記各操作ボタンの第１、第２の係合部の解除を抑止するロック機構と
を設けてなることを特徴とする電子機器ユニット着脱機構。
【請求項２】
請求項１記載の電子機器ユニット着脱機構において、
前記レバー部材に冷却孔を設けたことを特徴とする電子機器ユニット着脱機構。
【請求項３】
請求項１または２記載の電子機器ユニット着脱機構において、
前記操作ボタンと係合する係合位置と前記操作ボタンから離脱した係合解除位置との間で移動可能な構成とされており、前記係合位置で前記操作ボタンと係合することにより、前記操作ボタンの移動を規制する操作規制部材と、
施錠することにより前記操作規制部材を前記係合位置に移動させ、施錠解除することにより前記操作規制部材を前記係合位置の外部位置に移動させる施錠機構とよりなるロック機構を設けたことを特徴とする電子機器ユニット着脱機構。
【請求項４】
複数のディスク装置を筐体内に着脱自在に形成したディスクアレイ装置において、
前記ディスク装置に装着されるホルダーと、
前記筐体に設けられ該ホルダーの着脱を案内するレールと、
前記各ホルダーにおいて、弾性部材により第２の位置に付勢されつつ第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に弾性変形可能に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に前記レールに沿った取り外し方向の移動を規制する規制部材と、
前記ホルダーに操作可能に設けられており、押圧操作されることにより前記第１の係合部を弾性変形させ、前記第１の係合部と前記第２の係合部との係合を解除する操作ボタンと、
前記筐体に設けられ、前記各操作ボタンの第１、第２の係合部の解除を抑止するロック機構と
を設けてなることを特徴とするディスクアレイ装置。
【請求項５】
請求項４記載のディスクアレイ装置において、
冷却用の冷却機構と、
前記レバー部材に該冷却機構の冷却風を通過させる冷却孔を設けたことを特徴とするディスクアレイ装置。
【発明の詳細な説明】
【０００１】
【発明の属する技術分野】
本発明は電子機器ユニット着脱機構、及び着脱可能に構成されたハードディスクドライブ装置を複数搭載するディスクアレイ装置に関する。
【０００２】
【従来の技術】
近年、高速かつ大容量で信頼性の高い外部記憶装置を実現すべく、ハードディスクドライブ装置（ＨＤＤ）を内設した電子機器ユニットを複数搭載したディスクアレイ装置が提供されている。このディスクアレイ装置においては、メンテナンスの必要が生じた際、ディスクアレイ装置全体としては稼動した状態を維持し、メンテナンスが必要とされる電子機器ユニット（ハードディスクドライブ装置）のみを交換することが行なわれている。
【０００３】
一方、第三者が簡単にディスクアレイ装置から各電子機器ユニットを着脱できる構成であると、記録再生中に電子機器ユニットが着脱され、データ，ハードディスクドライブ装置，及びディスクアレイ装置が損傷するおそれがある。このため、一般にディスクアレイ装置は、容易に電子機器ユニットがディスクアレイ装置のエンクロージャー（筐体）から着脱されないよう、ロック機構を設けて安全性を高めている。
【０００４】
通常、このロック機構は、施錠機構を有している。そして、ディスクアレイ装置を保守する者等の許容された者だけが、当該ロック機構を開錠できる鍵（キー）を有し、上記のメンテナンス必要時には、このキーを使ってロックを解除し、各電子機器ユニットをエンクロージャから着脱できる構成とされていた。
【０００５】
図１及び図２は、従来のディスクアレイ装置１０を示す斜視図及び分解斜視図である。各図に示されるディスクアレイ装置１０は、エンクロージャ１５内に複数の電子機器ユニット１１を装着した構成とされている。
【０００６】
図２に示されるように、各電子機器ユニット１１は、大略するとユニット本体１４とレバー１２とを有した構成とされている。ユニット本体１４の前面に設けられたレバー１２は、ユニット本体１４との接続点を中心として回動可能な構成とされている。
【０００７】
そして、電子機器ユニット１１をエンクロージャ１５に対して着脱する際はレバー１２を前方に倒し、この倒されたレバー１２を把持することによりエンクロージャ１５に対してして電子機器ユニット１１を着脱する。これにより、エンクロージャ１５に対する電子機器ユニット１１の着脱処理を容易に行なうことができる。
【０００８】
一方、前記したように、エンクロージャ１５に対して電子機器ユニット１１が自由に着脱される構成であると、データ破壊や各種装置の損傷が発生するおそれがある。このため、第三者が無断で各電子機器ユニット１１をディスクアレイ装置１０に対して着脱することを防止するための安全機能として、ディスクアレイ装置１０の前面に、施錠機構１６を有するベゼルカバー１３が取り付けられている。この施錠機構１６は、キーを用いて施錠することにより、ベゼルカバー１３をエンクロージャ１５の施錠部１７に締結する構成とされている。
【０００９】
従って、従来のディスクアレイ装置１０において電子機器ユニット１１をディスクアレイ装置１０に対して着脱するには、先ずベゼルカバー１３の施錠機構１６による施錠を解除してベゼルカバー１３を開け、次に電子機器ユニット１１のレバー１２を手前に倒し、その後に電子機器ユニット１１をエンクロージャ１５に対して着脱する必要があった。
【００１０】
【発明が解決しようとする課題】
上記したように従来では、電子機器ユニット１１をエンクロージャ１５に対して着脱する際、施錠機構１６の施錠を解除してベセルカバ１３ーをエンクロージャ１５から取り外し、その後にレバー１２を前方に倒し、この倒されたレバー１２を把持して電子機器ユニット１１を着脱する必要があった。このように従来では、電子機器ユニット１１をエンクロージャ１５に対して着脱するのに、レバー１２とベゼルカバー１３との二つの部材を開閉する操作が必要であり、よって電子機器ユニット１１の着脱のための操作が煩雑で操作性が悪いという問題点があった。
【００１１】
また、従来においてレバー１２をユニット本体１４から前方に倒すには、レバー１２の上端部に操作者の指を引っ掛け、その上でレバー１２を回動させる必要があった。このため、ワンタッチでレバー１２を倒すことができず、これによっても操作性が悪化するという問題点があった。
【００１２】
更に、上記のように従来では、レバー１２とベゼルカバー１３との二つの部材を別個に設けていたため、ベゼルカバー１３の厚み分だけディスクアレイ装置１０が大型化してしまうという問題点があった。
【００１３】
本発明は上記の点に鑑みてなされたものであり、電子機器ユニットの着脱操作及び施錠操作の操作性の向上を図りうる電子機器ユニット着脱機構及びディスクアレイ装置を提供することを目的とする。
【００１４】
【課題を解決するための手段】
上記の課題を解決するために本発明では、次に述べる各手段を講じたことを特徴とするものである。
【００１５】
請求項１記載の発明は、
複数の電子機器ユニットを筐体内に着脱するための電子機器ユニット着脱機構であって、
前記各電子機器ユニットに備えられたホルダーと、
前記各ホルダーにおいて、弾性部材により第２の位置に付勢されつつ第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に弾性変形可能に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に取り外し方向の移動を規制する規制部材と、
前記ホルダーに操作可能に設けられており、押圧操作されることにより前記第１の係合部を弾性変形させ、前記第１の係合部と前記第２の係合部との係合を解除する操作ボタンと、
前記筐体に設けられ、前記各操作ボタンの第１、第２の係合部の解除を抑止するロック機構とを設けてなることを特徴とするものである。
【００１６】
また、請求項２記載の発明は、
請求項１記載の電子機器ユニット着脱機構において、
前記レバー部材に冷却孔を設けたことを特徴とするものである。
【００１７】
また、上記発明において、
前記第１の係合部を片持ち梁形状に形成すると共に、
押圧操作により前記操作ボタンが移動することにより、前記第１の係合部を変位させ、前記第１の係合部と前記第２の係合部との係合を解除する構成とすることもできる。
【００１８】
また、請求項３記載の発明は、
請求項１または２記載の電子機器ユニット着脱機構において、
前記操作ボタンと係合する係合位置と前記操作ボタンから離脱した係合解除位置との間で移動可能な構成とされており、前記係合位置で前記操作ボタンと係合することにより、前記操作ボタンの移動を規制する操作規制部材と、
施錠することにより前記操作規制部材を前記係合位置に移動させ、施錠解除することにより前記操作規制部材を前記係合位置の外部位置に移動させる施錠機構とよりなるロック機構を設けたことを特徴とするものである。
【００１９】
また、請求項４記載の発明は、
複数のディスク装置を筐体内に着脱自在に形成したディスクアレイ装置において、
前記ディスク装置に装着されるホルダーと、
前記筐体に設けられ該ホルダーの着脱を案内するレールと、
前記各ホルダーにおいて、弾性部材により第２の位置に付勢されつつ第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に弾性変形可能に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に前記レールに沿った取り外し方向の移動を規制する規制部材と、
前記ホルダーに操作可能に設けられており、押圧操作されることにより前記第１の係合部を弾性変形させ、前記第１の係合部と前記第２の係合部との係合を解除する操作ボタンと、
前記筐体に設けられ、前記各操作ボタンの第１、第２の係合部の解除を抑止するロック機構とを設けてなることを特徴とするものである。
【００２０】
また、請求項５記載の発明は、
請求項４記載のディスクアレイ装置において、
冷却用の冷却機構と、
前記レバー部材に該冷却機構の冷却風を通過させる冷却孔を設けたことを特徴とするものである。
【００２１】
上記した請求項１記載の発明によれば、レバー部材が、ホルダーを閉蓋するカバーとしての機能と、電子機器を筐体から引き出す把持部としての機能との二つの機能を奏するため、電子機器ユニット着脱機構の部品点数を削減することができる。
【００２２】
また、レバー部材がカバーとしても機能するため、従来のようにカバーを取り外す処理と、ホルダーから把持部を第２の位置に向け移動させる処理を別個に行なう必要はなく、電子機器ユニットを筐体内に着脱する操作を容易に行なうことができる。
【００２３】
更に、レバー部材に形成された第１の係合部とホルダーに形成された第２の係合部とからなる係止機構により、レバー部材はホルダーを閉蓋する第１の位置に係止される。そして、この係止の解除は、ホルダーに設けられた操作ボタンを操作することにより解除される。このように、操作ボタンを操作することにより、係止機構によるレバー部材の係止は簡単に解除されるため、これによっても電子機器ユニットを筐体内に着脱する操作を容易化することができる。
【００２４】
また、請求項２及び請求項５記載の発明によれば、レバー部材に冷却孔を設けたことにより、レバー部材を介して電子機器ユニットに内設された電子機器を冷却できるため、電子機器の冷却効率を高めることができる。
【００２５】
また、請求項３記載の発明によれば、施錠機構で施錠を行なうことにより、操作規制部材は係合位置に移動して操作ボタンと係合し、操作ボタンの移動が規制される。即ち、施錠機構で施錠を行なうことにより、レバー部材をホルダーから第２の位置（電子機器を筐体から引き出す位置）に向け移動させることができなくなる。これにより、レバー部材にホルダーを閉蓋するカバーとしての機能を持たせても、施錠を行なうことにより、誤って電子機器が筐体から引き出されることを防止することができる。
【００２６】
また、請求項４記載の発明によれば、レバー部材が、ホルダーを閉蓋するカバーとしての機能と、電子機器を筐体から引き出す把持部としての機能との二つの機能を奏するため、ディスクアレイ装置の部品点数を削減することができる。
【００２７】
また、レバー部材がカバーとしても機能するため、従来のようにカバーを取り外す処理と、ホルダーから把持部を第２の位置に向け移動させる処理を別個に行なう必要はなく、ディスク装置を筐体内に着脱する操作を容易に行なうことができる。
【００２８】
更に、レバー部材に形成された第１の係合部とホルダーに形成された第２の係合部とからなる係止機構により、レバー部材はホルダーを閉蓋する第１の位置に係止される。そして、この係止の解除は、ホルダーに設けられた操作ボタンを操作することにより解除される。このように、操作ボタンを操作することにより、係止機構によるレバー部材の係止は簡単に解除されるため、これによってもディスク装置を筐体内に着脱する操作を容易化することができる。
【００２９】
【発明の実施の形態】
次に、本発明の実施の形態について図面と共に説明する。
【００３０】
図３は本発明の一実施例である電子機器ユニット着脱機構を適用したディスクアレイ装置２０の斜視図であり、図４はディスクアレイ装置２０の要部を示す分解斜視図である。このディスクアレイ装置２０は、大型コンピュータの補助記憶装置であり、主にデータのバックアップを行なうために用いられるものである。
【００３１】
このディスクアレイ装置２０は、各図に示されるように、大略するとエンクロージャ３００、複数の電子機器ユニット４００、及びセキュリティロック部５００等により構成されている。
【００３２】
エンクロージャ３００は筐体形状を有し、複数の電子機器ユニット４００が装着脱される構成である。このエンクロージャ３００の正面には、図４に示されるように、電子機器ユニット４００が装着脱される開口部３０２が形成されている。また、エンクロージャ３００の中央には隔壁３０３が形成されており、二つの部屋に画成されている。この一方の部屋（図中、左側の部屋）には７台の電子機器ユニット４００が収納される構成とされており、他方の部屋（図中、右側の部屋）には８台の電子機器ユニット４００が収納される構成とされている。
【００３３】
また、エンクロージャ３００の底板３０４には、ガイド部３０５及びレール３０６が形成されている。ガイド部３０５は直線状に突出形成されており、エンクロージャ３００の奥方向に向かって延出するよう形成されている。電子機器ユニット４００は、このガイド部３０５にガイドされてエンクロージャ３００に装着脱される。レール３０６は、開口部３０２の下部に長手方向に沿うよう形成されている。このレール３０６は、後述するように電子機器ユニット４００を確実にエンクロージャ３００に装着するのに使用されるものである。
【００３４】
更に、エンクロージャ３００の両側部には鍔部３０７が設けられており、この鍔部３０７には後述するセキュリティロック部５００が配設される。また、その上部には、飾り板となるサイドカバー３０８が配設される。このサイドカバー３０８には、セキュリティロック部５００の施錠及び施錠解除を行うキー（鍵）が挿入されるキー差込孔３０９が形成されている。
【００３５】
尚、図３及び図４から明らかなように、エンクロージャ３００の奥行きは電子機器ユニット４００の長さよりも大きい。これは、エンクロージャ３００の電子機器ユニット４００の装着エリアよりも奥には、所定の電子回路及び冷却用のファン３１１（図１４参照）等が配設されるからである。
【００３６】
次に、電子機器ユニット４００について説明する。
図５乃至図６は、電子機器ユニット４００の構成を説明するための図である。具体的には、図５は電子機器ユニット４００の斜視図、図６は電子機器ユニット４００の分解斜視図、図７は操作ボタン４０７近傍を拡大して示す断面図である。
【００３７】
電子機器ユニット４００は、電子機器を内設した構成とされている。本実施例では、電子機器としてハードディスクドライブ装置（以下、ＨＤＤという）を内設したものを例に挙げて説明する。ディスクアレイ装置では、大容量，省スペースを達成するために、図４に示すように、多数のディスク装置を殆ど隙間無く並べて搭載している。このように搭載しておきさらに、任意のディスク装置を着脱自在に構成されている。尚、電子機器ユニット４００に内設される電子機器はＨＤＤに限定されものではない。
【００３８】
電子機器ユニット４００は、大略するとハードディスクドライブ装置（以下、ＨＤＤという）４０１，レバー４０２、レバーホルダー４０３，シールドバネ４０４，フレーム４０５，リアホルダー４０６，及び操作ボタン４０７等により構成されている。
ＨＤＤ４０１は内設された磁気ディスクに対しデータを記録再生する装置であり、その後方部にはエンクロージャ３００に設けられたバックボード３１０（図１０（Ｂ）参照）と電気的に接続されコネクタ４０８が配設されている。このＨＤＤ４０１は、磁気シールド機能を有したフレーム４０５に固定される。尚、以下の説明において、前方とは図３及び図４に矢印Ｘ１で示す方向をいい、後方とは図３及び図４に矢印Ｘ２で示す方向をいうものとする。
【００３９】
フレーム４０５は、図６に示されるように、磁気シード効果を有する金属板をコ字状にプレス加工したものであり、ＨＤＤ４０１はこのフレーム４０５にネジ４３３を用いて固定される。この際、フレーム４０５の上部においては、緩衝バネ４３２も合わせてネジ４３３でフレーム４０５に固定される。
【００４０】
この緩衝バネ４３２は、電子機器ユニット４００をエンクロージャ３００に装着した際、電子機器ユニット４００とエンクロージャ３００との間で弾性力を付勢するものである。これにより、ディスクアレイ装置２０に外力印加された場合でも、これが直接ＨＤＤ４０１に印加されるのを防止でき、ＨＤＤ４０１の保護、即ち記録されているデータの保護を図ることができる。
【００４１】
フレーム４０５の前方には、レバーホルダー４０３及びシールドバネ４０４が設けられる。シールドバネ４０４は、磁気シード効果を有すると共にバネ性を有した金属板をプレス加工したものであり、側部に側部バネ爪４２８が、また上下にバネ爪４２７が設けられている。このシールドバネ４０４は、レバーホルダー４０３に取り付けられた上で、フレーム４０５に装着される。
【００４２】
具体的には、側部バネ爪４２８をレバーホルダー４０３の内部係合させると共に、上部バネ爪４２７をレバーホルダー４０３の係合穴４２５に係合させる。これにより、シールドバネ４０４はレバーホルダー４０３に取り付けられる。この際、レバーホルダー４０３の後方に突出するように形成されている固定爪４２４は、シールドバネ４０４に形成されている挿通孔（図に現れず）を挿通してシールドバネ４０４の後方に突出する。
【００４３】
レバーホルダー４０３及びシールドバネ４０４をフレーム４０５に固定するには、シールドバネ４０４が取り付けられたレバーホルダー４０３をフレーム４０５に挿入し、レバーホルダー４０３に形成されている固定爪４２４をフレーム４０５に形成された被固定孔４３０に嵌入する。これにより、フレーム４０５の先方に、レバーホルダー４０３及びシールドバネ４０４が固定される。
【００４４】
また、リアホルダー４０６は、フレーム４０５の後方に取り付けられる。具体的には、リアホルダー４０６には固定爪４２９が、またフレーム４０５にはこの固定爪４２９を嵌入する被固定孔４３１が形成されている。よって、被固定孔４３１に固定爪４２９を嵌入することにより、リアホルダー４０６はフレーム４０５に取り付けられる。
【００４５】
続いて、レバーホルダー４０３と、このレバーホルダー４０３に取り付けられるレバー４０２及び操作ボタン４０７の構成について詳述する。このレバー４０２，レバーホルダー４０３，及び操作ボタン４０７は、いずれも樹脂成型品である。
【００４６】
先ず、レバーホルダー４０３について説明する。レバーホルダー４０３は、筐体形状を有したホルダー本体４２０を有している。このホルダー本体４２０の内部には、レバー４０２が装着されるレバー装着開口４２１と、操作ボタン４０７が装着されるボタン装着開口４２２とが形成されている。更に、ホルダー本体４２０の上部には、後述するセキュリティロック部５００の操作規制レバー５０１が挿入脱するロック用凹部４２６が形成されている（これについては、後に詳述する）。
【００４７】
ここで図７を参照し、ホルダー本体４２０の操作ボタン４０７が配設される位置の近傍に注目する。同図に示されるように、ホルダー本体４２０の上部位置には、レバー４０２に向け延出したフォルダー側係合爪４３５（請求項に記載の第２の係合部）が形成されている。このフォルダー側係合爪４３５は、レバー４０２がレバーホルダー４０３のレバー装着開口４２１内に装着された状態(図５及び図７に示す状態。以下、装着状態という)においてレバー４０２と係合し、レバー４０２を装着状態に保持する構成とされている。
【００４８】
次に、レバー４０２について説明する。レバー４０２は、レバーホルダー４０３に回動可能に取り付けられる。具体的には、レバー４０２に形成された軸孔４１７と、レバーホルダー４０３に形成されている軸孔４２３が同軸的となるよう位置決めし、この位置決めされた各軸孔４１７，４２３にレバー固定ピン４１３を挿通する。これにより、レバー４０２はレバーホルダー４０３に回動自在に取り付けられる。
【００４９】
この際、レバー４０２とレバーホルダー４０３との間には、トーションバネ４１４が配設される。このトーションバネ４１４は、レバー４０２を常に開く方向（開方向）に弾性力を付勢する構成とされている。
【００５０】
また、レバー４０２の上端部には、レバー側係合爪４１２（請求項に記載の第１の係合部）が形成されている。このレバー側係合爪４１２は、片持ち梁状（カンチレバー状）の構成とされている。よって、レバー側係合爪４１２は、図７に矢印Ａ１，Ａ２で示す方向に弾性変形可能な構成とされている。更に、レバー側係合爪４１２の途中位置には、段差部４４５が形成されている。この段差部４４５は、操作ボタン４０７に形成されている係合解除爪４４３と対応する位置に形成されている。
【００５１】
図７は、レバー４０２がレバーホルダー４０３に装着された位置（請求項に記載の第１の位置）にある装着状態を示している。この装着状態では、レバー側係合爪４１２とフォルダー側係合爪４３５は係合した状態となっている。このため、レバー４０２がトーションバネ４１４により開方向に弾性付勢されていても、レバー４０２は装着状態を維持する。
【００５２】
一方、レバー４０２の表面には、多数の正面通気孔４０９が形成されている。また、レバー４０２の正面通気孔４０９が形成された面の反対側には把持部４１１が形成されている。この把持部４１１は、後述するように電子機器ユニット４００をエンクロージャ３００に対して装着脱する際に、操作者により把持される部分である。このため、把持部４１１は、操作者が把持しやすい形状とされている。
【００５３】
次に、操作ボタン４０７について説明する。操作ボタン４０７は、装着状態にあるレバー４０２をレバーホルダー４０３から引き出す時に操作されるものである。この操作ボタン４０７は、図７に示されるように、ノブ部４４１，ガイドバー４４２，及び係合解除爪４４３等を一体成型した構成とされている。
【００５４】
ノブ部４４１は、レバー４０２をレバーホルダー４０３から引き出す時に押圧操作される部位である。このノブ部４４１は、前記したボタン装着開口４２２内に配設されている。また、ガイドバー４４２は、ノブ部４４１から後方に長く延出した棒状の部材である。このガイドバー４４２は、ホルダー本体４２０に形成されたガイド孔４３６にスライド可能に保持されている。
【００５５】
また、ガイド孔４３６が形成されている壁部４５１とノブ部４４１との間には、コイルバネ４４０が配設されている。このコイルバネ４４０は、操作ボタン４０７を常に図７に矢印Ｂ２で示す方向に弾性付勢している。
【００５６】
しかしながら、ガイドバー４４２の図中矢印Ｂ１方向の端部には、ガイドバー４４２に対して若干大径とされた当接部４４４が形成されている。このため、コイルバネ４４０により操作ボタン４０７が矢印Ｂ２方向に付勢されても、当接部４４４が壁部４５１と当接することにより、操作ボタン４０７がホルダー本体４２０から離脱するようなことはない。
【００５７】
一方、係合解除爪４４３は、ノブ部４４１の下部に設けられている。この係合解除爪４４３は、前記したレバー４０２に形成されたレバー側係合爪４１２と対応するよう形成されている。具体的には、図７に示すようにレバー４０２が装着状態にあるとき、操作ボタン４０７を押圧操作して矢印Ｂ１方向に移動させた際、係合解除爪４４３が段差部４４５と係合し、レバー側係合爪４１２を矢印Ａ２方向に変位できるよう構成されている。
【００５８】
続いて、図８乃至図１３を参照して、上記構成とされた電子機器ユニット４００をエンクロージャ３００に対して装着脱する操作について説明する。
図８は、エンクロージャ３００に対して電子機器ユニット４００を装着する前の状態を示している。同図では、既にレバー４０２がレバーホルダー４０３から引き出された引き出し位置（請求項に記載の第２の位置）に位置した状態を示している。
【００５９】
図８に示す状態において、電子機器ユニット４００をエンクロージャ３００に装着するには、操作者は引き出されているレバー４０２の把持部４１１を把持すると共に、フレーム４０５の後端部をエンクロージャ３００に形成されているガイド部３０５に位置あわせする。続いて、把持部４１１を押すことにより、電子機器ユニット４００をエンクロージャ３００内に挿入する。この際、電子機器ユニット４００はガイド部３０５に案内されつつ挿入されるため、装着処理を容易に行なうことができる。
【００６０】
図９は、完全ではないが電子機器ユニット４００の略全部がエンクロージャ３００に装着された状態を示している。この状態において、図９（Ｂ）に示されるように、レバー４０２に形成された一対の爪部４１５，４１６の内、第１の爪部４１５がエンクロージャ３００に形成されたレール３０６と係合する。
【００６１】
続いて、図９に示す状態より、レバー４０２をレバー装着開口４２１に向けレバー固定ピン４１３を中心に回動操作させる。レバー４０２が回動操作されることにより、第１の爪部４１５はレール３０６から離間すると共に、第２の爪部４１６がレール３０６に近接し当接する。
【００６２】
この状態で更にレバー４０２を図１０に矢印で示す方向に回動させると、第２の爪部４１６はレール３０６を図１０（Ｂ）における左方向に押圧し、この反作用として電子機器ユニット４００は右方向、即ち電子機器ユニット４００がエンクロージャ３００に押し込まれる方向に移動付勢される。この付勢力は、てこの原理により、単に操作者が電子機器ユニット４００をエンクロージャ３００内に押し込む力よりも強い力である。
【００６３】
ところで、電子機器ユニット４００がエンクロージャ３００に装着される際、ＨＤＤ４０１に設けらたれコネクタ４０８をバックボード３１０のコネクタ（図に現れず）に装着する必要がある。このコネクタ４０８をバックボード３１０のコネクタに装着する際、比較的強い力を要するが、本実施例ではレバー４０２を回動する際、前記のようにてこの原理により発生する強い押し込み力より電子機器ユニット４００は押し込まれる。このため、小さい操作力で確実に電子機器ユニット４００をエンクロージャ３００に装着することが可能となる。
【００６４】
また、電子機器ユニット４００がエンクロージャ３００に確実に装着された状態で、レバー４０２もレバーホルダー４０３内に収納される。図１０は、ディスクアレイ装置２０の装着状態を示している。この装着状態において、レバー側係合爪４１２はレバーホルダー４０３に形成されているフォルダー側係合爪４３５と係合する。これにより、レバー４０２は操作ボタン４０７により開方向への移動が規制される。尚、この装着状態においては、操作ボタン４０７の係合解除爪４４３はレバー側係合爪４１２に形成されている段差部４４５から離間した位置にある。
【００６５】
図３及び図１４（Ａ）は、全ての電子機器ユニット４００が装着状態とされたディスクアレイ装置２０を示している。各図に示すように、本実施例に係るディスクアレイ装置２０では、従来用いていたようなベゼルカバー１３（図２参照）を用いておらず、各電子機器ユニット４００に設けられているレバー４０２をカバーとして用いている。
【００６６】
このため、レバー４０２は、レバーホルダー４０３のレバー装着開口４２１を閉蓋するカバーとしての機能と、電子機器ユニット４００をエンクロージャ３００から引き出す際の把持部としての機能との二つの機能を奏することとなる。これにより、従来に比べてディスクアレイ装置２０の部品点数の削減を図ることができ、装置コストの低減及び装置の小型化を図ることができる。
【００６７】
一方、前記したようにレバー４０２の表面には多数の正面通気孔４０９が形成されている。また、レバー４０２が装着状態にある時、把持部４１１とレバーホルダー４０３との間にも離間部分が形成され、この離間部分は側部通気孔４１０となる。
【００６８】
図１４（Ｂ）に示すように、エンクロージャ３００の背面部にはファン３１１が配設されている。このファン３１１が駆動することにより、図１４に矢印で示すような冷却風の流れが生じる。この際、上記のように本実施例では、レバー４０２の表面に多数の正面通気孔４０９が形成され、かつ側部には側部通気孔４１０が形成されているため、冷却風を効率的に電子機器ユニット４００内に送り込むことができる。
【００６９】
図１６は、電子機器ユニット４００を図１５におけるＸ−Ｘ線に沿って切断した断面図である。また、同中破線で示す矢印が冷却風の流れを示している。同図に示されるように、正面通気孔４０９及び側部通気孔４１０から流入した冷却風は、略直線状にレバーホルダー４０３内を流れＨＤＤ４０１に供給される。このため、高流量の冷却風をＨＤＤ４０１に供給することが可能となり、ＨＤＤ４０１の冷却効率を高めることができる。
【００７０】
続いて、電子機器ユニット４００をエンクロージャ３００から引き出す時の操作について説明する。電子機器ユニット４００をエンクロージャ３００から引き出すには、図１１に示すように、操作ボタン４０７を押圧操作する。この押圧操作により、操作ボタン４０７は、コイルバネ４４０の付勢力に抗して図７に矢印Ｂ１で示す方向に移動する。これに伴い、操作ボタン４０７に形成されている係合解除爪４４３も図７に矢印Ｂ１で示す方向に移動する。
【００７１】
そして、この矢印Ｂ１方向の移動に伴い、係合解除爪４４３は段差部４４５と当接しこれを押圧する。これにより、片持ち梁状のレバー側係合爪４１２は図７に矢印Ａ２で示す方向に変位し、従ってレバー側係合爪４１２とフォルダー側係合爪４３５との係合は解除される。
【００７２】
この際、前記のようにレバー側係合爪４１２は弾性変形可能な片持ち梁形状に形成とされているため、レバー側係合爪４１２とフォルダー側係合爪４３５との係合時においては弾性力により確実に係合が行なわれ、また係合解除時には、少なくともレバー側係合爪４１２を操作ボタン４０７で押圧し弾性変形させることにより、容易に係合解除を行なうことができる。
【００７３】
一方、前記したようにトーションバネ４１４の弾性力により、レバー４０２はレバーホルダー４０３に対して常に開方向に向け弾性付勢している。このため、上記のように操作ボタン４０７が操作され、レバー側係合爪４１２とフォルダー側係合爪４３５との係合が解除されると、レバー４０２はトーションバネ４１４の弾性力により回動する。
【００７４】
図１２は、レバー４０２がトーションバネ４１４の弾性力により回動した状態を示している。同図に示すように、レバー４０２は、第１の爪部４１５がレール３０６に係合することにより、この回動が規制されている。操作者は、この状態においてレバー４０２の把持部４１１を把持し、レバー４０２を図１３に示す引き出し位置に向け回動操作する。
【００７５】
この回動操作に伴い、第１の爪部４１５はレール３０６を図１２（Ｂ）における右方向に押圧し、この反作用として電子機器ユニット４００は左方向、即ち電子機器ユニット４００がエンクロージャ３００から引き出される方向に移動付勢される。この付勢力は、てこの原理により、単に操作者が電子機器ユニット４００をエンクロージャ３００から引き出す力よりも強い力である。よって、ＨＤＤ４０１に設けらたれコネクタ４０８と、バックボード３１０のコネクタとを離脱させる操作を小さい操作力で行なうことができる。
【００７６】
そして、図１３に示されるように、レバー４０２が引き出し位置まで回動されると、操作者はレバー４０２（把持部４１１）を把持して電子機器ユニット４００をエンクロージャ３００から引き出す。これにより、エンクロージャ３００から電子機器ユニット４００を引き出す操作が終了する。
【００７７】
上記のように本実施例では、レバー４０２がカバーとしても機能するため、電子機器ユニット４００をエンクロージャ３００から引き出す際に、従来のようにベゼルカバー１３を取り外す処理と、レバー１２を引き出す処理とを別個に行なう必要はなく（図１参照）、電子機器ユニット４００をエンクロージャ３００に着脱する操作を容易に行なうことができる。更に、本実施例のディスクアレイ装置２０では、操作ボタン４０７を押すだけの操作で、レバー４０２をレバーホルダー４０３から引き出すことができるため、電子機器ユニット４００をエンクロージャ３００に装着脱する際の操作性を向上させることができる。
【００７８】
続いて、図１７乃至図２０を参照して、セキュリティロック部５００について説明する。このセキュリティロック部５００は、大略すると操作規制レバー５０１，スライドレール５０２,及び施錠機構５０３等により構成されている。
【００７９】
操作規制レバー５０１は、図１８に示すように、固定フレーム５１４に対して図中矢印Ｂ１，Ｂ２方向に揺動可能な構成で取り付けられている。固定フレーム５１４は、図１７に示されるように、エンクロージャ３００の上部に固定されている。また、操作規制レバー５０１は、この固定フレーム５１４に設けられた図示しない支軸に軸承されている。これにより、操作規制レバー５０１は固定フレーム５１４に対して揺動可能な構成となる。
【００８０】
この操作規制レバー５０１は、後述するように電子機器ユニット４００のレバーホルダー４０３に形成されたロック用凹部４２６内に進入或いは退避する構成とされている。そして、ロック用凹部４２６内に進入することにより、操作ボタン４０７と係合してその操作を規制（ロック）する。このため、操作規制レバー５０１は、エンクロージャ３００内に装着される複数の電子機器ユニット４００の装着位置に対応して複数個配設されている。
【００８１】
また、夫々の操作規制レバー５０１は、長溝５０４が形成されている。この長溝５０４は、スライドレール５０２に配設されたピン５０５が係合する構成とされている。また、スライドレール５０２は、後述する施錠機構５０３の施錠動作により図中矢印Ｘ１，Ｘ２方向にスライド動作可能な構成とされている。
【００８２】
従って、スライドレール５０２が図中矢印Ｘ１方向にスライド動作することにより、ピン５０５も図中矢印Ｘ１方向に変位し、よって操作規制レバー５０１は矢印Ｂ１方向（進入方向）に移動する。逆に、スライドレール５０２が図中矢印Ｘ２方向にスライド動作すると、ピン５０５も図中矢印Ｘ２方向に変位し、よって操作規制レバー５０１は矢印Ｂ２方向（退避方向）に移動する。
【００８３】
施錠機構５０３は、エンクロージャ３００の鍔部３０７に配設される。この施錠機構５０３は、キー５２０を挿入して回動操作することにより、リンク部材５１０を介して揺動レバー５０７を揺動させるものである。この揺動レバー５０７の上端部には係合ピン５０９が設けられており、この係合ピン５０９は、スライドレール５０２の矢印Ｘ２方向端部に形成された長孔５０６に係合するよう構成されている。
【００８４】
尚、ディスクアレイ装置２０の美観の面より、施錠機構５０３及び揺動レバー５０７の上部には、サイドカバー３０８が配設される。また、サイドカバー３０８には、キー５２０を施錠機構５０３に向け挿入するためのキー差込孔３０９が形成されている。
【００８５】
続いて、上記構成とされたセキュリティロック部５００の動作について、主に図１９及び図２０を参照して説明する。尚、図１９及び図２０では、図示の便宜上、エンクロージャ３００の右側のサイドカバー３０８及び一番右側に収納された電子機器ユニット４００のみを図示して説明するが、他の電子機器ユニット４００に対しても同様のロック動作が実施される。
【００８６】
図１９は、操作ボタン４０７に対するロックが解除された状態を示している。このロック解除状態では、キー５２０は図中矢印Ｄ２方向に回動操作されている。これにより、リンク部材５１０を介して揺動レバー５０７は矢印Ｃ２方向に揺動しており、よって係合ピン５０９を介して操作規制レバー５０１は図中矢印Ｘ２方向にスライドしている。
【００８７】
前記したように、操作規制レバー５０１が図中矢印Ｘ２方向にスライドしているとき、操作規制レバー５０１は図中矢印Ｂ２方向に移動している。この状態において、操作規制レバー５０１は電子機器ユニット４００のロック用凹部４２６から退避した位置（請求項に記載の係合解除位置）にある。よって、操作ボタン４０７は操作可能な状態（アンロック状態）となっている。従って、このアンロック状態において、エンクロージャ３００に対する電子機器ユニット４００の装着脱操作が実施される。
【００８８】
一方、電子機器ユニット４００がエンクロージャ３００に対して装着脱できないようにロックするには、キー５２０を図中矢印Ｄ１方向に回動操作する。これにより、リンク部材５１０を介して揺動レバー５０７は矢印Ｃ１方向に揺動し、よって係合ピン５０９を介して操作規制レバー５０１は図中矢印Ｘ１方向にスライドし、これにより操作規制レバー５０１は図中矢印Ｂ１方向に移動する。この状態において、操作規制レバー５０１は電子機器ユニット４００のロック用凹部４２６に進入した位置（請求項に記載の係合位置）にある。
【００８９】
このように、操作規制レバー５０１がロック用凹部４２６に進入した状態を図７に一点鎖線で示す。同図に示すように、操作規制レバー５０１がロック用凹部４２６に進入した状態で、操作規制レバー５０１は操作ボタン４０７を構成するノブ部４４１の背部に位置している。
【００９０】
従って、このロック状態において操作ボタン４０７を押圧操作しても、ノブ部４４１の背面部が操作規制レバー５０１に当接し、操作ボタン４０７を押圧操作することができなくなる。また、操作ボタン４０７が操作不能となることにより、レバー４０２のレバーホルダー４０３からの引き出しはできなくなり、よって電子機器ユニット４００のエンクロージャ３００からの離脱が防止される。
【００９１】
このようにセキュリティロック部５００を設けたことにより、施錠後は操作規制レバー５０１が操作ボタン４０７と係合し、この操作ボタン４０７の操作がロックされる。これにより、施錠後はレバー４０２をレバーホルダー４０３から引き出すことができなくなる。よって本実施例のように、エンクロージャ３００の正面を覆うカバーとしての機能をレバー４０２に持たせても（即ち、従来用いていたベゼルカバー１３をなくしても）、施錠を行なうことにより、誤って電子機器ユニット４００がエンクロージャ３００から引き出されることを防止することができる。
【００９２】
尚、前記したように操作規制レバー５０１は複数装着される電子機器ユニット４００の装着位置に対応して複数設けられており、この複数の操作規制レバー５０１はキー５２０の施錠操作により一括的に移動して各電子機器ユニット４００の操作ボタン４０７をロックする。よって、エンクロージャ３００に装着された複数の電子機器ユニット４００に対する上記ロックは、容易かつ簡単に行なうことができる。
【００９３】
図２１及び図２２は、上下２段構成とされたエンクロージャ３００Ａにセキュリティロック部５００Ａ，５００Ｂを設けた構成を示している。尚、図２１及び図２２に示すセキュリティロック部５００Ａ，５００Ｂにおいて、先の説明に用いた図３〜図２０に示した構成と同一構成のものについては、同一符号を付してその説明を省略する。
【００９４】
各図に示されるセキュリティロック部５００Ａ，５００Ｂは、上部スライドレール５０２Ａと下部スライドレール５０２Ｂとを有した構成とさてれいる。各スライドレール５０２Ａ，５０２Ｂは、それぞれ操作規制レバー５０１が設けられている。そして、各スライドレール５０２Ａ，５０２Ｂがスライド移動することにより操作規制レバー５０１は移動し、操作ボタン４０７をロック及びロック解除する構成とされている。
【００９５】
この際、エンクロージャ３００の上段と下段で別個にセキュリティロック部を設けることも可能ではあるが、この構成とすると操作性が悪化し、また部品点数の増大及び装置の大型化等の問題点が発生する。そこで、図２１及び図２２に示すセキュリティロック部５００Ａ，５００Ｂは、一つのキー５２０の操作で、上下２段に配設されている全ての電子機器ユニット４００に対するロック及びロック解除を行いうる構成としている。
【００９６】
図２１に示すセキュリティロック部５００Ａは、上部スライドレール５０２Ａと下部スライドレール５０２Ｂを連結部材５１３Ａにより連結したことを特徴とするものである。また、図２２に示すセキュリティロック部５００Ｂは、上部スライドレール５０２Ａをスライドさせる上部揺動レバー５０７Ａと、下部スライドレール５０２Ｂをスライドさせる下部揺動レバー５０７Ｂを、連結部材５１３Ｂで連結したことを特徴とするものである。
【００９７】
上記構成とすることにより、一つのキー５２０の操作で、上下２段に配設された電子機器ユニット４００に対するロック及びロック解除を行なうことが可能となる。よって、エンクロージャ３００が多段構造（３段以上も含む）となっても、操作性よく電子機器ユニット４００に対するロック及びロック解除を行なうことができる。
【００９８】
以上本発明の好ましい実施例について詳述したが、本発明は上記した実施例に限定されるものではなく、特許請求の範囲に記載された本発明の要旨の範囲内において、種々の変形・変更が可能なものである。
【００９９】
以上の説明に関し、更に以下の項を開示する。
【０１００】
（付記１）  複数の電子機器ユニットを筐体内に着脱するための電子機器ユニット着脱機構であって、
前記各電子機器ユニットに備えられたホルダーと、
前記各ホルダーに第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に取り外し方向の移動を規制する規制部材と、
前記ホルダーに操作可能に設けられており、操作されることにより前記係止機構による前記第１の係合部と前記第２の係合部との係合を解除する操作ボタンと、
前記筐体に設けられ、前記各操作ボタンの第１、第２の係合部の解除を抑止するロック機構と
を設けてなることを特徴とする電子機器ユニット着脱機構。
（付記２）  付記１記載の電子機器ユニット着脱機構において、
前記レバー部材に冷却孔を設けたことを特徴とする電子機器ユニット着脱機構。
（付記３）  付記１または２記載の電子機器ユニット着脱機構において、
前記第１の係合部を片持ち梁形状に形成すると共に、
押圧操作により前記操作ボタンが移動することにより、前記第１の係合部を変位させ、前記第１の係合部と前記第２の係合部との係合を解除する構成としたことを特徴とする電子機器ユニット着脱機構。
【０１０１】
（付記４）  付記１乃至３のいずれか１記載の電子機器ユニット着脱機構において、
前記操作ボタンと係合する係合位置と前記操作ボタンから離脱した係合解除位置との間で移動可能な構成とされており、前記係合位置で前記操作ボタンと係合することにより、前記操作ボタンの移動を規制する操作規制部材と、
施錠することにより前記操作規制部材を前記係合位置に移動させ、施錠解除することにより前記操作規制部材を前記係合位置の外部位置に移動させる施錠機構とよりなるロック機構を設けたことを特徴とする電子機器ユニット着脱機構。
（付記５）  複数のディスク装置を筐体内に着脱自在に形成したディスクアレイ装置において、
前記ディスク装置に装着されるホルダーと、
前記筐体に設けられ該ホルダーの着脱を案内するレールと、
前記各ホルダーに第１の位置と第２の位置との間で移動可能に設けられると共に、前記第１の位置において前記ホルダーを閉蓋するカバーとして機能し、前記第２の位置において前記電子機器を前記筐体から引き出す把持部として機能するレバー部材と、
前記各レバー部材に形成された第１の係合部と、
前記各ホルダーに形成され、対応する前記第１の係合部と係合することにより、前記レバー部材を前記第１の位置に係止する第２の係合部と、
前記各レバー部材に形成された係止部と、
前記筐体に形成され、前記レバー部材の第１の位置で前記係止部に係止し、電子機器ユニットが筐体内に装着された際に前記レールに沿った取り外し方向の移動を規制する規制部材と、
前記ホルダーに操作可能に設けられており、操作されることにより前記係止機構による前記第１の係合部と前記第２の係合部との係合を解除する操作ボタンと、
前記筐体に設けられ、前記各操作ボタンの第１、第２の係合部の解除を抑止するロック機構と
を設けてなることを特徴とするディスクアレイ装置。
（付記６）  付記５記載のディスクアレイ装置において、
冷却用の冷却機構と、
前記レバー部材に該冷却機構の冷却風を通過させる冷却孔を設けたことを特徴とするディスクアレイ装置。
【発明の効果】
上述の如く本発明によれば、次に述べる種々の効果を実現することができる。
【０１０２】
請求項１記載の発明によれば、レバー部材がカバーとしての機能と把持部としての機能の二つの機能を奏するため、電子機器ユニット着脱機構の部品点数を削減することができる。また、レバー部材がカバーとしても機能するため、ホルダーからカバーを取り外す処理と、ホルダーから把持部を第２の位置に向け移動させる処理とを同時に行えるため、電子機器ユニットを筐体内に着脱する操作を容易に行なうことができる。更に、操作ボタンを操作することにより、係止機構によるレバー部材の係止は簡単に解除されるため、これによっても電子機器ユニットを筐体内に着脱する操作を容易化することができる。
【０１０３】
また、請求項２及び請求項５記載の発明によれば、レバー部材に冷却孔を設けたことにより、レバー部材を介して電子機器ユニットに内設された電子機器を冷却できるため、電子機器の冷却効率を高めることができる。
【０１０４】
また、請求項３記載の発明によれば、レバー部材にホルダーを閉蓋するカバーとしての機能を持たせても、施錠を行なうことにより、誤って電子機器が筐体から引き出されることを防止することができる。
【０１０５】
また、請求項４記載の発明によれば、レバー部材がカバーとしての機能と把持部としての機能の二つの機能を奏するため、ディスクアレイ装置の部品点数を削減することができる。また、レバー部材がカバーとしても機能するため、ホルダーからカバーを取り外す処理と、ホルダーから把持部を第２の位置に向け移動させる処理とを同時に行えるため、ディスク装置を筐体内に着脱する操作を容易に行なうことができる。更に、操作ボタンを操作することにより、係止機構によるレバー部材の係止は簡単に解除されるため、これによってもディスク装置を筐体内に着脱する操作を容易化することができる。
【図面の簡単な説明】
【図１】従来の一例である電子機器ユニット着脱機構を有したディスクアレイ装置を示す斜視図である。
【図２】従来の一例である電子機器ユニット着脱機構を有したディスクアレイ装置のベゼルカバーを外した状態を示す斜視図である。
【図３】本発明の一実施例である電子機器ユニット着脱機構を有したディスクアレイ装置を示す斜視図である。
【図４】本発明の一実施例である電子機器ユニット着脱機構を有したディスクアレイ装置を示す分解斜視図である。
【図５】本発明の一実施例である電子機器ユニット着脱機構が適用された電子機器ユニットを示す斜視図である。
【図６】本発明の一実施例である電子機器ユニット着脱機構が適用された電子機器ユニットを示す分解斜視図である。
【図７】電子機器ユニットの操作ボタン近傍を拡大して示す斜視図である。
【図８】本発明の一実施例である電子機器ユニット着脱機構を用い、電子機器ユニットをエンクロージャに装着する操作を説明するための図である（その１）。
【図９】本発明の一実施例である電子機器ユニット着脱機構を用い、電子機器ユニットをエンクロージャに装着する操作を説明するための図である（その２）。
【図１０】本発明の一実施例である電子機器ユニット着脱機構を用い、電子機器ユニットをエンクロージャに装着する操作を説明するための図である（その３）。
【図１１】本発明の一実施例である電子機器ユニット着脱機構を用い、電子機器ユニットをエンクロージャから引き出す操作を説明するための図である（その１）。
【図１２】本発明の一実施例である電子機器ユニット着脱機構を用い、電子機器ユニットをエンクロージャから引き出す操作を説明するための図である（その２）。
【図１３】本発明の一実施例である電子機器ユニット着脱機構を用い、電子機器ユニットをエンクロージャから引き出す操作を説明するための図である（その３）。
【図１４】本発明の一実施例である電子機器ユニット着脱機構における、電子機器の冷却構造を説明するための図である（その１）。
【図１５】本発明の一実施例である電子機器ユニット着脱機構における、電子機器の冷却構造を説明するための図である（その２）。
【図１６】本発明の一実施例である電子機器ユニット着脱機構における、電子機器の冷却構造を説明するための図である（その３）。
【図１７】本発明の一実施例である電子機器ユニット着脱機構に設けられるセキュリティロック部の概略構成を示す分解斜視図である。
【図１８】セキュリティロック部の要部分解斜視図である。
【図１９】セキュリティロック部の動作を説明するための図である（その１）。
【図２０】セキュリティロック部の動作を説明するための図である（その２）。
【図２１】２段構成とされたエンクロージャに設けられるセキュリティロック部を説明するための図である（その１）。
【図２２】２段構成とされたエンクロージャに設けられるセキュリティロック部を説明するための図である（その２）。
【符号の説明】
２０  ディスクアレイ装置
３００，３００Ａ  エンクロージャ
３０１  本体部
３０８  サイドカバー
３０９  キー差込孔
３１０  バックボード
３１１  ファン
４００  電子機器ユニット
４０１  ＨＤＤ
４０２  レバー
４０３  レバーホルダー
４０４  シールドバネ
４０５  フレーム
４０６  リアホルダー
４０７  操作ボタン
４１２  レバー側係合爪
４２０  ホルダー部
４２４  固定爪
４２６  ロック用凹部
４３２  緩衝バネ
４３５  ホルダー側係合爪
４４３  係合解除爪
５００，５００Ａ  セキュリティロック部
５０１  操作規制レバー
５０２  スライドレール
５０２Ａ  上部スライドレール
５０２Ｂ  下部スライドレール
５０３  施錠機構
５０４  長溝
５０５  ピン
５０７  揺動レバー
５０７Ａ  上部揺動レバー
５０７Ｂ  下部揺動レバー
５０９  係合ピン
５１０  リンク部材
５１１  ベース部材
５１２  回転軸
５１３Ａ，５１３Ｂ  連結部材
５１４  固定フレーム
５２０  キー
【図１】
0003670630.tif 000002
【図２】
0003670630.tif 000003
【図３】
0003670630.tif 000004
【図４】
0003670630.tif 000005
【図５】
0003670630.tif 000006
【図６】
0003670630.tif 000007
【図７】
0003670630.tif 000008
【図８】
0003670630.tif 000009
【図９】
0003670630.tif 000010
【図１０】
0003670630.tif 000011
【図１１】
0003670630.tif 000012
【図１２】
0003670630.tif 000013
【図１３】
0003670630.tif 000014
【図１４】
0003670630.tif 000015
【図１５】
0003670630.tif 000016
【図１６】
0003670630.tif 000017
【図１７】
0003670630.tif 000018
【図１８】
0003670630.tif 000019
【図１９】
0003670630.tif 000020
【図２０】
0003670630.tif 000021
【図２１】
0003670630.tif 000022
【図２２】
0003670630.tif 000023